(57)【要約】【課題】表示装置からディスプレイが取り外された場合に、ディスプレイが取り外された自己が保有する表示装置を識別させることが可能な表示装置および表示制御プログラムを提供する。【解決手段】表示部１２が本体部１１から取り外される場合、ディスプレイ２４に識別表示４０が表示される。そして、表示部１２が本体部１１から取り外される。ディスプレイ２４は、電力の供給が断たれても、表示中の画像を保持することが可能な不揮発性の表示素子で構成されている。このため、表示部１２が本体部１１から取り外されて、電力の供給が断たれても、識別表示４０は、ディスプレイ２４に表示されている。本体部１１には、識別表示４０と同一のナンバーが記載されたナンバー表示部３０が設けられている。ユーザは、識別表示４０とナンバー表示部３０とを確認して、自己の保有する本体部１１を特定することができる。【選択図】図２
2012047950.tif 000002
【特許請求の範囲】
【請求項１】
画像のデータを記憶する画像データ記憶手段を備える本体部と
前記本体部の前記画像データ記憶手段に記憶された前記画像のデータに基づく前記画像を表示する、電力の供給が断たれても前記画像を保持することが可能な不揮発性の表示手段を備え、前記本体部に対して着脱可能な表示部と、
前記表示部が前記本体部から取り外されて前記本体部から前記表示手段への電力の供給が断たれる前において、前記本体部をユーザに識別させるための表示である識別表示を前記表示手段に表示させることのユーザによる指示を検出する表示指示検出手段と、
前記表示指示検出手段によって前記識別表示を前記表示手段に表示させることのユーザによる指示が検出された場合に、前記識別表示を前記表示手段に表示させる第一表示制御手段と
を備えたことを特徴とする表示装置。
【請求項２】
前記表示指示検出手段は、前記表示部を前記本体部から取り外すための操作である取り外し操作を検出することで、前記識別表示を前記表示手段に表示させることのユーザによる指示を検出することを特徴とする請求項１に記載の表示装置。
【請求項３】
前記表示部に設けられ、前記表示部を特定するための情報である表示部特定情報を記憶する第一記憶手段と、
前記本体部に設けられ、前記表示部特定情報を記憶する第二記憶手段と、
前記表示部が前記本体部から取り外された後、前記表示部が前記本体部に取り付けられた場合に、前記第一記憶手段に記憶された前記表示部特定情報と、前記第二記憶手段に記憶された前記表示部特定情報とが一致するか否かを判断することで、取り付けられた前記表示部と、取り外された前記表示部とが同一であるか否かを判断する判断手段と、
前記判断手段によって、取り付けられた前記表示部と、取り外された前記表示部とが同一であると判断された場合に、前記表示手段の表示を変更させる第二表示制御手段と
を備えたことを特徴とする請求項２に記載の表示装置。
【請求項４】
前記第二表示制御手段は、前記判断手段によって、取り付けられた前記表示部と、取り外された前記表示部とが同一であると判断された場合に、前記表示手段に表示された前記識別表示を消去することを特徴とする請求項３に記載の表示装置。
【請求項５】
ユーザによる前記表示装置の電源のオンの指示を検出する電源指示検出手段を備え、
前記判断手段によって、取り付けられた前記表示部と、取り外された前記表示部とが同一であると判断された場合、且つ、前記電源指示検出手段によってユーザによる前記表示装置の電源のオンの指示が検出された場合に、前記表示装置の電源をオンし、前記判断手段によって、取り付けられた前記表示部と、取り外された前記表示部とが同一でないと判断された場合に、前記表示装置の電源がオンすることを禁止する電源制御手段を備えたことを特徴とする請求項３から４のいずれか記載の表示装置。
【請求項６】
前記本体部には、前記第一表示制御手段によって前記表示手段に表示される識別表示に対応する表示である対応表示が表示される部分である対応表示部が設けられたことを特徴とする請求項１から５のいずれかに記載の表示装置。
【請求項７】
表示装置のＣＰＵに、
画像のデータを記憶する画像データ記憶手段を備える本体部の前記画像データ記憶手段に記憶された前記画像のデータに基づく前記画像を表示する、電力の供給が断たれても前記画像を保持することが可能な不揮発性の表示手段を備え、前記本体部に対して着脱可能な表示部が前記本体部から取り外されて前記本体部から前記表示手段への電力の供給が断たれる前において、前記本体部をユーザに識別させるための表示である識別表示を前記表示手段に表示させることのユーザによる指示を検出する表示指示検出ステップと、
前記表示指示検出ステップによって前記識別表示を前記表示手段に表示させることのユーザによる指示が検出された場合に、前記識別表示を前記表示手段に表示させる第一表示制御ステップと
を実行させることを特徴とする表示制御プログラム。
【発明の詳細な説明】
【技術分野】
【０００１】
本発明は、ディスプレイを取り外すことが可能な表示装置および表示制御プログラムに関する。
【背景技術】
【０００２】
従来、ディスプレイを取り外すことが可能な表示装置が知られている。例えば、特許文献１に記載の書込装置分離型表示器は、エレクトロクロミックディスプレイからなる表示器と、表示器に表示データを書き込む書込装置とを備えている。そして、表示器は、書込装置に着脱可能に構成されている。
【先行技術文献】
【特許文献】
【０００３】
【特許文献１】特開平５−３２３８８０号公報
【発明の概要】
【発明が解決しようとする課題】
【０００４】
しかしながら、従来の表示装置では、例えば、複数台の表示装置のディスプレイが取り外されている場合に、ユーザは、ディスプレイが取り外された自己が保有する表示装置を識別することができない。そのため、他人が保有する表示装置にディスプレイを取り付けてしまい、他人のデータをディスプレイに表示させる場合があるという問題点があった。
【０００５】
本発明の目的は、表示装置からディスプレイが取り外された場合に、ディスプレイが取り外された自己が保有する表示装置を識別させることが可能な表示装置および表示制御プログラムを提供することである。
【課題を解決するための手段】
【０００６】
本発明の第１の態様に係る表示装置は、画像のデータを記憶する画像データ記憶手段を備える本体部と前記本体部の前記画像データ記憶手段に記憶された前記画像のデータに基づく前記画像を表示する、電力の供給が断たれても前記画像を保持することが可能な不揮発性の表示手段を備え、前記本体部に対して着脱可能な表示部と、前記表示部が前記本体部から取り外されて前記本体部から前記表示手段への電力の供給が断たれる前において、前記本体部をユーザに識別させるための表示である識別表示を前記表示手段に表示させることのユーザによる指示を検出する表示指示検出手段と、前記表示指示検出手段によって前記識別表示を前記表示手段に表示させることのユーザによる指示が検出された場合に、前記識別表示を前記表示手段に表示させる第一表示制御手段とを備えている。
【０００７】
この場合、表示手段は不揮発性であるため、表示手段を備えた表示部が本体部から取り外され、本体部から表示手段への電力の供給が断たれた後でも、表示手段に表示された識別表示は、表示手段に表示されている。このため、ユーザは、表示手段に表示された識別表示を確認することで、自己が保有する本体部を識別することができる。よって、ユーザが、他人が保有する本体部に誤ってディスプレイを取り付けてしまい、他人のデータをディスプレイに表示させることを防止できる。
【０００８】
前記表示装置において、前記表示指示検出手段は、前記表示部を前記本体部から取り外すための操作である取り外し操作を検出することで、前記識別表示を前記表示手段に表示させることのユーザによる指示を検出してもよい。この場合、取り外し操作を検出して、識別表示を表示手段に表示することができる。つまり、表示部が本体部から取り外される場合には、自動で、識別表示が表示手段に表示される。
【０００９】
前記表示装置において、前記表示部に設けられ、前記表示部を特定するための情報である表示部特定情報を記憶する第一記憶手段と、前記本体部に設けられ、前記表示部特定情報を記憶する第二記憶手段と、前記表示部が前記本体部から取り外された後、前記表示部が前記本体部に取り付けられた場合に、前記第一記憶手段に記憶された前記表示部特定情報と、前記第二記憶手段に記憶された前記表示部特定情報とが一致するか否かを判断することで、取り付けられた前記表示部と、取り外された前記表示部とが同一であるか否かを判断する判断手段と、前記判断手段によって、取り付けられた前記表示部と、取り外された前記表示部とが同一であると判断された場合に、前記表示手段の表示を変更させる第二表示制御手段とを備えてもよい。この場合において、判断手段によって、取り付けられた表示部と、取り外された表示部とが同一であると判断された場合に、表示手段の表示を変更することができる。これによって、ユーザに取り付けられた表示部と、取り外された表示部とが同一であることを報知することができる。
【００１０】
前記表示装置において、前記第二表示制御手段は、前記判断手段によって、取り付けられた前記表示部と、取り外された前記表示部とが同一であると判断された場合に、前記表示手段に表示された前記識別表示を消去してもよい。この場合において、判断手段によって、取り付けられた表示部と、取り外された表示部とが同一であると判断された場合に、識別表示を消去することができる。これによって、ユーザに取り付けられた表示部と、取り外された表示部とが同一であることを報知することができる。
【００１１】
前記表示装置において、ユーザによる前記表示装置の電源のオンの指示を検出する電源指示検出手段を備え、前記判断手段によって、取り付けられた前記表示部と、取り外された前記表示部とが同一であると判断された場合、且つ、前記電源指示検出手段によってユーザによる前記表示装置の電源のオンの指示が検出された場合に、前記表示装置の電源をオンし、前記判断手段によって、取り付けられた前記表示部と、取り外された前記表示部とが同一でないと判断された場合に、前記表示装置の電源がオンすることを禁止する電源制御手段を備えてもよい。この場合において、判断手段によって、取り付けられた表示手段と、取り外された表示手段とが同一であると判断された場合、ユーザは、表示装置の電源をオンして、種々の操作を行うことができる。一方、判断手段によって、取り付けられた表示手段と、取り外された表示手段とが同一でないと判断された場合、電源制御手段は、前記表示装置の電源をオンしない。このため、ユーザは、表示装置の電源をオンすることができない。つまり、ユーザが、自己が保有する本体部に、自己が保有する表示部を取り付ければ、表示装置の電源をオンすることができる。一方、他人が誤って、他人が保有する表示部を本体部に取り付けた場合には、電源がオンしない。よって、他人が誤って本体部を使用することを防止できる。
【００１２】
前記表示装置において、前記本体部には、前記第一表示制御手段によって前記表示手段に表示される識別表示に対応する表示である対応表示がされる部分である対応表示部が設けられてもよい。この場合、ユーザは、表示手段に表示される識別表示と、本体部の対応表示部に表示される対応表示とを確認して、自己が保有する本体部を識別することができる。
【００１３】
本発明の第２の態様に係る表示制御プログラムは、表示装置のＣＰＵに、画像のデータを記憶する画像データ記憶手段を備える本体部の前記画像データ記憶手段に記憶された前記画像のデータに基づく前記画像を表示する、電力の供給が断たれても前記画像を保持することが可能な不揮発性の表示手段を備え、前記本体部に対して着脱可能な表示部が前記本体部から取り外されて前記本体部から前記表示手段への電力の供給が断たれる前において、前記本体部をユーザに識別させるための表示である識別表示を前記表示手段に表示させることのユーザによる指示を検出する表示指示検出ステップと、前記表示指示検出ステップによって前記識別表示を前記表示手段に表示させることのユーザによる指示が検出された場合に、前記識別表示を前記表示手段に表示させる第一表示制御ステップとを実行させる。この場合、ユーザは、表示手段に表示された識別表示を確認することで、自己が保有する本体部を識別することができる。よって、ユーザが、他人が保有する本体部に誤ってディスプレイを取り付けてしまい、他人のデータをディスプレイに表示させることを防止できる。
【図面の簡単な説明】
【００１４】
【図１】表示装置１の物理的構成を示す正面図である。
【図２】表示部１２が本体部１１から取り外された状態の表示装置１の物理的構成を示す正面図である。
【図３】表示装置１の電気的構成を示すブロック図である。
【図４】第一取り外し処理を示すフローチャートである。
【図５】識別表示４０が表示された状態の表示装置１の物理的構成を示す正面図である。
【図６】第一取り付け処理を示すフローチャートである。
【図７】第二取り外し処理を示すフローチャートである。
【図８】第二取り付け処理を示すフローチャートである。
【発明を実施するための形態】
【００１５】
以下、本発明に係る表示装置及び表示制御プログラムを具現化した表示装置１について、図面を参照して説明する。なお、これらの図面は、本発明が採用しうる技術的特徴を説明するために用いられるものであり、記載されている表示装置の構成、各種処理のフローチャートなどは、それのみに限定する趣旨ではなく、単なる説明例である。
【００１６】
図１および図２を参照し、表示装置１の概要について説明する。以後の説明では、図１の紙面の上側、下側、右側、左側を、それぞれ表示装置１の上側、下側、右側、左側として説明する。
【００１７】
図１および図２に示すように、表示装置１は、正面視略長方形状を有している。表示装置１は、本体部１１と表示部１２とを備えている。表示部１２は、ディスプレイ２４を備えている。本体部１１は、表示部１２の右側に設けられ、種々のスイッチや後述するフラッシュメモリ１５（図３参照）等を備えている。表示部１２は、本体部１１に対して、着脱可能である。なお、図１は、表示部１２が本体部１１に取り付けられた状態を示しており、図２は、表示部１２が本体部１１から取り外された状態を示している。
【００１８】
表示部１２は、略長方形状のディスプレイ２４を正面側に備えている。ディスプレイ２４は、不揮発性の表示素子で構成されている。不揮発性の表示素子は、表示中の画像を書き換える場合にのみ電力を必要とし、電力の供給が断たれても表示中の画像を保持することが可能であるという特性を有している。ディスプレイ２４としては、従来周知の様々な不揮発性の表示素子が使用可能である。例えば、マイクロカプセル方式や電気泳動式等の不揮発性の表示素子が使用可能である。
【００１９】
表示部１２が本体部１１から取り外される場合には、識別表示４０がディスプレイ２４に表示される（図２参照）。識別表示４０は、表示部１２が取り付けられていた本体部１１をユーザに識別させるための表示であり、本体部１１に設けられたナンバー表示部３０（後述）に表示されたシリアルナンバーと同一の番号「０１２３」が表示されている。
【００２０】
本体部１１は、表示部１２の右側に、上下方向に一列に並んだ複数の選択ボタン２１を備えている。選択ボタン２１は、ディスプレイ２４のうち選択ボタン２１の左側部分に表示される選択メニューのうちいずれかを選択する場合に使用される。
【００２１】
本体部１１は、選択ボタン２１の右側に、電源スイッチ１８と、３つの設定ボタン１９と、２つの操作ボタン２０とを備えている。上から順に、電源スイッチ１８、設定ボタン１９、操作ボタン２０の順で並んでいる。電源スイッチ１８は、表示装置１の電源のオン・オフを切り替える場合に、ユーザによって押下される。設定ボタン１９と操作ボタン２０とは、ディスプレイ２４上に表示される画像のデータに対する設定や操作等を行う場合に、ユーザによって押下される。
【００２２】
本体部１１は、内部に電池２５（図３参照）を備えている。表示装置１は、電池２５を電源として動作する。電池２５としては、例えば、従来周知のリチウムイオン電池やニッケル水素電池等が使用可能である。
【００２３】
本体部１１は、上下に一対の取り外しスイッチ２９を備えている。取り外しスイッチ２９は、左右方向に移動するスライドスイッチである。取り外しスイッチ２９は、表示部１２の本体部１１への固定を解除する機能と、ユーザによる表示部１２を取り外すための操作（以下、「取り外し操作」という。）を、表示装置１のＣＰＵ１３（図３参照）が検出するためのスイッチとしての機能とを備えている。ユーザは、取り外しスイッチ２９を右方向にスライドさせて、表示部１２の本体部１１への固定を解除した後に、表示部１２を本体部１１から取り外す。
【００２４】
本体部１１は、ナンバー表示部３０を下部に備えている。ナンバー表示部３０には、表示装置１のシリアルナンバーである「０１２３」が印刷によって表示されている。シリアルナンバー「０１２３」は、識別表示４０である「０１２３」に対応している。シリアルナンバーは、生産時に、他の表示装置とは異なる数字に設定される。このため、ユーザは、識別表示４０とシリアルナンバーとを確認することで、自己が保有する本体部１１と、他人が保有する本体部１１とを識別することができる。
【００２５】
次に、図３を参照し、表示装置１の電気的構成について説明する。なお、図３において、本体部１１と表示部１２との間を結ぶ各配線は、本体部１１と表示部１２とに設けられた接続コネクタ（図示せず）を介して接続されている。表示部１２が本体部１１から取り外されると、本体部１１と表示部１２とを結ぶ配線は離間し、表示部１２が本体部１１に取り付けられると、本体部１１と表示部１２とを結ぶ配線は接続される。
【００２６】
本体部１１は、ＣＰＵ１３、ＲＯＭ１４、フラッシュメモリ１５、およびＲＡＭ１６を備えている。ＣＰＵ１３は、表示装置１の制御等を司る。ＣＰＵ１３は、ＲＯＭ１４、フラッシュメモリ１５およびＲＡＭ１６と電気的に接続され、記憶領域にアクセスできる。
【００２７】
ＲＯＭ１４は、プログラム記憶領域１４１を少なくとも備えている。プログラム記憶領域１４１には、ＣＰＵ１３が各種の処理等を実行するために必要なプログラムデータが記憶されている。フラッシュメモリ１５は、特定情報記憶領域１５１と画像データ記憶領域１５２と識別表示記憶領域１５３とを少なくとも備えている。特定情報記憶領域１５１には、ＣＰＵ１３が表示部１２を特定するための情報が記憶されている。本実施形態では、暗号が記憶されているとする。画像データ記憶領域１５２には、ディスプレイ２４に表示される画像のデータが記憶されている。識別表示記憶領域１５３は、ディスプレイ２４に識別表示４０を表示させるためのデータが記憶されている。ＲＡＭ１６には、種々のデータが記憶される。
【００２８】
表示部１２は、フラッシュメモリ２８を備えている。ＣＰＵ１３は、フラッシュメモリ２８と電気的に接続されている。ＣＰＵ１３は、フラッシュメモリ２８の記憶領域にアクセスできる。フラッシュメモリ２８は、特定情報記憶領域２８１を少なくとも備えている。特定情報記憶領域２８１には、特定情報記憶領域１５１の場合と同様に、ＣＰＵ１３が表示部１２を特定するための情報が記憶されている。本実施形態では、暗号が記憶されているとする。
【００２９】
なお、特定情報記憶領域１５１，２８１に記憶されている暗号は、生産される表示装置毎にそれぞれ付与された固有の暗号であり、他の表示装置とは異なる暗号である。このため、本体部１１と表示部１２との暗号を確認することで、本体部１１から取り外した表示部１２と、取り付けた表示部１２とが同一であるか否かが判断される。詳細については、後述する。
【００３０】
本体部１１は、メモリカードスロット１７を備えている。メモリカードスロット１７には、メモリカード１７１が挿入される。メモリカード１７１には、種々のデータが記憶される。ＣＰＵ１３は、メモリカードスロット１７を介してメモリカード１７１と電気的に接続される。ＣＰＵ１３は、メモリカード１７１の記憶領域にアクセスできる。
【００３１】
本体部１１は、電源スイッチ１８を備えている。ＣＰＵ１３は、電源スイッチ１８と電気的に接続されている。ＣＰＵ１３は、ユーザによって電源スイッチ１８が押下されたことを検出できる。ユーザは、電源スイッチ１８を押下することで、表示装置１の電源のオン・オフをすることができる。表示装置１は、設定ボタン１９と操作ボタン２０と選択ボタン２１と（以下、これらを総称して「入力部２２」という。）を備えている。ＣＰＵ１３は、入力部２２と電気的に接続されている。ＣＰＵ１３は、ユーザによって入力部２２が操作されたことを検出できる。
【００３２】
本体部１１は、取り外しスイッチ２９を備えている。ＣＰＵ１３は、取り外しスイッチ２９と電気的に接続されている。ユーザは、表示部１２を本体部１１から取り外す場合には、取り外しスイッチ２９をスライドさせて固定を解除する。ＣＰＵ１３は、取り外しスイッチ２９がスライドされたことを検出することで、ユーザが表示部１２の取り外し操作を行ったことを検出する。
【００３３】
本体部１１は、表示制御部２３を備えている。表示部１２はディスプレイ２４を備えている。表示制御部２３は、ディスプレイ２４の駆動制御を行う。ＣＰＵ１３は、表示制御部２３と電気的に接続されている。表示制御部２３は、ディスプレイ２４と接続されている。ＣＰＵ１３は、表示制御部２３を介してディスプレイ２４に所望の画像を表示させることができる。
【００３４】
本体部１１は、電池２５と電源制御部２６とを備えている。電源制御部２６は、ＣＰＵ１３と表示部１２とに接続されている。電池２５は電源制御部２６と接続される。本体部１１と表示部１２との各種デバイスは、電池２５から電源制御部２６を介して供給される電力によって駆動する。電源制御部２６は、表示装置１の外部のＡＣアダプタ（図示せず）と接続されることによって、電池２５を充電することができる。
【００３５】
本体部１１は、着脱検出部２７を備えている。着脱検出部２７は、ＣＰＵ１３と表示部１２とに接続されている。また、電池２５の陰極であるグランド（以下、「ＧＮＤ」と記載する。）は、表示部１２に接続されている。表示部１２が本体部１１に取り付けられている場合、表示部１２に接続されているＧＮＤは、表示部１２を介して着脱検出部２７に接続される。これによって、着脱検出部２７は低電位（ＧＮＤの電位）に固定される。表示部１２が本体部１１から取り外された場合、着脱検出部２７とＧＮＤとの接続が解除される。そして、着脱検出部２７は、プルアップ抵抗によって高電位（ＧＮＤの電位より高い電位）に固定される。ＣＰＵ１３は、着脱検出部２７の電位が低電位であれば、表示部１２が本体部１１に取り付けられていると判断し、着脱検出部２７の電位が高電位であれば、表示部１２が本体部１１から取り外されていると判断する。
【００３６】
なお、図示しないが、本体部１１には、ＵＳＢコネクタが設けられている。ＣＰＵ１１は、ＵＳＢコネクタに接続されるＵＳＢケーブルを介して、他の機器との間で種々のデータの転送や受信を行うことができる。
【００３７】
次に、図４〜図６に示すフローチャートを参照して、本実施形態の表示装置１の動作を説明する。まず、図４を参照して、本実施形態のＣＰＵ１３による第一取り外し処理について説明する。第一取り外し処理は、表示部１２が取り外されることを検出して、後述する識別表示４０をディスプレイ２４に表示する処理である。第一取り外し処理は、表示装置１の電源がオンされることを契機に実行が開始される。
【００３８】
図４に示すように、本実施形態のＣＰＵ１３による第一取り外し処理では、まず、取り外しスイッチ２９が、表示部１２を本体部１１から取り外す方向（右方向）にスライドされたか否かが判断されることで、表示部１２が本体部１１から取り外されるか否かが判断される（Ｓ１１）。つまり、ユーザによる取り外し操作が検出される。表示部１２が本体部１１から取り外されない場合には（Ｓ１１：ＮＯ）、Ｓ１１に戻り、処理が繰り返される。取り外される場合には（Ｓ１１：ＹＥＳ）、識別表示記憶領域１５３に記憶されているデータに基づいて、識別表示４０がディスプレイ２４に表示される（Ｓ１２）。このように、ユーザは、取り外しスイッチ２９を操作することで、識別表示４０をディスプレイ２４に表示させることができる。言い換えると、Ｓ１１の処理では、識別表示４０をディスプレイ２４に表示させることのユーザによる指示が検出され、指示が検出された場合には（Ｓ１１：ＹＥＳ）、識別表示４０が表示される（Ｓ１２）。
【００３９】
次いで、着脱検出部２７の電位が低電位になったか否かが判断されることで、表示部１２が本体部１１から取り外されたか否かが判断される（Ｓ１３）。取り外されていない場合には（Ｓ１３：ＮＯ）、Ｓ１３の処理に戻り処理が繰り返される。取り外された場合には（Ｓ１３：ＹＥＳ）、第一取り付け処理（図６参照）が開始される（Ｓ１４）。第一取り付け処理については、後述する。次いで、第一取り外し処理が終了される。
【００４０】
例えば、事業所等で、複数の表示装置１が存在する環境において、ユーザが、表示部１２を本体部１１から取り外して、充電やデータ転送等を行い、充電やデータ転送等の終了後に表示部１２を本体部１１に取り付ける場合について述べる。なお、複数の表示装置１が同じ場所で、充電やデータ転送等が行われるとする。以下、この例示を「具体例」という。
【００４１】
具体例の場合、ユーザは、表示部１２を取り外すために、取り外しスイッチ２９を、スライドさせる。表示装置１のＣＰＵ１３は、表示部１２が本体部１１から取り外されると判断する（Ｓ１１：ＹＥＳ）。次いで、識別表示４０が、ディスプレイ２４に表示される（Ｓ１２）。これによって、図５に示すように、ナンバー表示部３０に表示されているシリアルナンバーと同一の識別表示４０「０１２３」が表示される。
【００４２】
そして、ユーザは、表示部１２を本体部１１から取り外す。ディスプレイ２４は、不揮発性である。このため、図２に示すように、表示部１２が本体部１１から取り外されて、表示部１２への電源の供給が断たれた場合でも、識別表示４０「０１２３」は、ディスプレイ２４に表示されたままである。
【００４３】
図４に示すように、表示部１２が取り外されると（Ｓ１３：ＹＥＳ）、第一取り付け処理（図６参照）が開始される（Ｓ１４）。次いで、第一取り外し処理が終了される。ユーザは、表示部１２が取り外された後の本体部１１にＡＣアダプタを接続して、電池２５の充電を行ったり、本体部１１にＵＳＢケーブルを接続して、データ転送を行ったりする。そして、充電やデータ転送等が終了する。
【００４４】
次に、図６を参照して、本実施形態のＣＰＵ１３による第一取り付け処理について説明する。第一取り付け処理は、取り外された表示部１２と同一の表示部１２が、本体部１１に取り付けられた場合に、識別表示４０を消去する処理である。
【００４５】
図６に示すように、第一取り付け処理では、まず、着脱検出部２７の電位が高電位になったか否かが判断されることで、表示部１２が本体部１１に取り付けられたか否かが判断される（Ｓ２１）。表示部１２が本体部１１に取り付けられていない場合には（Ｓ２１：ＮＯ）、Ｓ２１に戻り、処理が繰り返される。取り付けられた場合には（Ｓ２１：ＹＥＳ）、表示部１２のフラッシュメモリ２８の特定情報記憶領域２８１に記憶された暗号と、本体部１１のフラッシュメモリ１５の特定情報記憶領域１５１に記憶された暗号とが一致するか否かが判断される（Ｓ２２）。これによって、取り付けられた表示部１２と、取り外された表示部１２とが同一であるか否かが判断される（Ｓ２２）。
【００４６】
表示部１２が同一でない場合には（Ｓ２２：ＮＯ）、Ｓ２２に戻り、処理が繰り返される。表示部１２が同一である場合には（Ｓ２２：ＹＥＳ）、Ｓ１２の処理（図４参照）においてディスプレイ２４に表示された識別表示４０が、消去される（Ｓ２３）。次いで、第一取り付け処理が終了される。
【００４７】
具体例の場合において、充電やデータ転送等が終了した後に、ユーザが表示部１２を本体部１１に取り付ける場合について説明する。具体例の場合、複数の表示装置１が同じ場所で充電やデータ転送等が行われているため、充電やデータ転送等が行われる場所には、他人が保有する表示装置１も存在している。ユーザは、ディスプレイ２４に表示されている識別表示４０「０１２３」と同一のシリアルナンバー「０１２３」が、ナンバー表示部３０に表示されている本体部１１を探し、表示部１２を取り付ける。
【００４８】
このとき、ユーザは、表示部１２のディスプレイ２４に表示されている識別表示４０「０１２３」と、本体部１１のナンバー表示部３０に表示されているシリアルナンバー「０１２３」とを確認することで、自己が保有する本体部１１を識別することができる。このため、ユーザが、他人が保有する本体部１１に、誤って自己が保有する表示部１２を取り付けてしまうことを防止できる。よって、ユーザが、他人のデータをディスプレイ２４に表示させることを防止できる。
【００４９】
ユーザによって表示部１２が本体部１１に取り付けられた場合、ＣＰＵ１３によって、表示部１２が本体部１１に取り付けられたと判断される（Ｓ２１：ＹＥＳ）。次いで、フラッシュメモリ２８の特定情報記憶領域２８１に記憶された暗号と、本体部１１のフラッシュメモリ１５の特定情報記憶領域１５１に記憶された暗号とが一致すると判断されることで、取り付けられた表示部１２と、取り外された表示部１２とが同一であると判断される（Ｓ２２：ＹＥＳ）。
【００５０】
次いで、Ｓ１２の処理（図４参照）においてディスプレイ２４に表示された識別表示４０「０１２３」の表示が消去される（Ｓ２３）。これによって、図１に示すように、ディスプレイ２４に識別表示４０が表示されていない状態になる。識別表示４０が消えるため、ユーザは、自己が所有する本体部１１に表示部１２を取り付けたこと確認することができる。言い換えると、Ｓ１２の処理が行われることによって、ユーザに、取り付けられた表示部１２と、取り外された表示部１２とが同一であることを報知することができる。次いで、第一取り付け処理が終了される。
【００５１】
なお、例えば、他人が、本体部１１に、他人が保有する表示部１２を取り付けた場合には、暗号が一致しないため、取り付けた表示部１２と取り外した表示部１２とが同一でないと判断され（Ｓ２２：ＮＯ）、Ｓ２２の処理が繰り返される。このため、Ｓ２３の処理が実行されず、識別表示４０が消去されない。識別表示４０が消去されないため、他人は、表示部１２を取り付ける本体部１１を間違えたことを確認することができる。
【００５２】
以上説明したように、本実施形態における処理が行われる。本実施形態では、表示部１２を本体部１１から取り外す方向に、取り外しスイッチ２９がスライドされたか否かが判断されることで、表示部１２が本体部１１から取り外されるか否かが判断されている（Ｓ１１）。そして、表示部１２が本体部１１から取り外される場合に（Ｓ１１：ＹＥＳ）、識別表示４０がディスプレイ２４に表示される（Ｓ１２）。つまり、ＣＰＵ８は、取り外し操作を検出して、識別表示４０をディスプレイ２４に表示することができる。このため、表示装置１は、表示部１２が本体部１１から取り外される場合に、自動で、識別表示４０を表示手段に表示させることができる。
【００５３】
また、本体部１１は、電池２５、電源制御部２６、ＣＰＵ１３、およびＲＯＭ１４等を備えているため、表示部１２を取り外した状態でも、電池２５の充電やデータ転送等を行うことができる。例えば、事業所等で、複数の表示装置１を保有している場合において、複数の表示装置１が同時に同じ場所で、充電やデータ転送等が行われる場合、表示装置１のサイズが大きければ、充電やデータ転送等を行うために広いスペースが必要となる。本実施形態では、本体部１１のサイズは、表示部１２を取り付けた状態の表示装置１のサイズよりも小さいので、複数の表示装置１を充電やデータ転送等を行うためのスペースを削減することができる。
【００５４】
次に、図７を参照して、第一取り外し処理（図４参照）の変形例である第二取り外し処理について説明する。第一取り外し処理では、表示部１２が本体部１１から取り外される場合に、自動で、識別表示４０が表示されていた。第二取り外し処理では、ユーザが識別表示４０をディスプレイ２４に表示させるか否かを選択することができる。
【００５５】
なお、本変形例では、３つの設定ボタン１９（図１参照）のうち、最も上の設定ボタン１９は、ユーザが識別表示４０をディスプレイ２４に表示させるために押下するボタンであるとする。また、以下の説明において、第一取り外し処理と同様の処理は、同じ符号で示し、詳細の説明は省略する。
【００５６】
図７に示すように、第二取り外し処理では、まず、３つの設定ボタン１９のうち、最も上の設定ボタン１９が押下されたか否かが判断される（Ｓ３１）。設定ボタン１９が押下されていない場合には（Ｓ３１：ＮＯ）、表示部１２が本体部１１から取り外されたか否かが判断される（Ｓ１３）。取り外されていない場合には（Ｓ１３：ＮＯ）、Ｓ３１に戻り、処理が繰り返される。Ｓ３１の処理において、設定ボタンが押下された場合には（Ｓ３１：ＹＥＳ）、識別表示４０がディスプレイ２４に表示される（Ｓ１２）、次いで、Ｓ１３の処理が行われる。表示部１２が本体部１１から取り外された場合には（Ｓ１３：ＹＥＳ）、第一取り付け処理が開始され（Ｓ１４）、第二取り外し処理が終了される。
【００５７】
例えば、ユーザが、識別表示４０をディスプレイ２４に表示させることを望む場合には、ユーザは、設定ボタン１９を押下する。ＣＰＵ１３は、ユーザによって設定ボタン１９が押下されたと判断すると（Ｓ３１：ＹＥＳ）、識別表示４０をディスプレイ２４に表示させる（Ｓ１２）。そして、表示部１２が本体部１１から取り外されると（Ｓ１３：ＹＥＳ）、第一取り付け処理が開始される（Ｓ１４）。
【００５８】
一方、ユーザが、識別表示４０をディスプレイ２４に表示させることを望まない場合には、ユーザは設定ボタン１９を押下しない。この場合、Ｓ３１とＳ１３の処理が繰り返される。つまり、Ｓ１２の処理が行われないため、識別表示４０がディスプレイ２４に表示されない。そして、表示部１２が本体部１１から取り外されると（Ｓ１３：ＹＥＳ）、第一取り付け処理（図６参照）が開始される。なお、この場合、識別表示４０はディスプレイ２４に表示されていないので、Ｓ２３の処理（図６参照）における識別表示４０を消去する処理が行われなくてもよいまたは、Ｓ２３の処理において、識別表示４０を消去する処理を行うのではなく、例えば、「問題なく使用できます」などのテキスト文書を表示してもよい。この場合、識別表示４０がディスプレイ２４に表示されていなくても、テキストを表示することで、取り付けられた表示部１２と取り外された表示部１２とが同一であることをユーザに報知することができる。
【００５９】
以上説明したように、第二取り外し処理では、ユーザは、識別表示４０をディスプレイ２４に表示させるか否かを選択することができる。
【００６０】
次に、図８を参照して、第一取り付け処理（図６参照）の変形例である第二取り付け処理について説明する。第二取り付け処理は、表示部１２が本体部１１から取り外された場合に、電源のオンを禁止し、取り外された表示部１２と取り付けられた表示部１２とが同一である場合に、電源のオンの禁止を解除する処理である。なお、第二取り付け処理を実行する場合は、図４および図７のＳ１４の処理において、第二取り付け処理を開始する処理が行われる。以下の説明において、第一取り付け処理と同様の処理は、同じ符号で示し、詳細の説明は省略する。
【００６１】
図４および図７のＳ１４の処理によって、第二取り付け処理が開始されると、図８に示すように、まず、ユーザが電源スイッチ１８を押下しても、電源がオンしないように設定される（Ｓ４１）。つまり、表示装置１の電源がオンされることが禁止される（Ｓ４１）。次いで、Ｓ２１およびＳ２２の処理が行われる。Ｓ２１およびＳ２２の処理については、第一取り付け処理（図６参照）と同様である。Ｓ２２の処理において、取り付けられた表示部１２と、取り外された表示部１２とが同一であると判断された場合には（Ｓ２２：ＹＥＳ）、Ｓ４１の処理で設定された、電源のオンの禁止が解除される（Ｓ４２）。
【００６２】
次いで、ユーザが電源スイッチ１８を押下することによって、電源のオンの指示が入力されたか否かが判断される（Ｓ４３）。電源のオンの指示が入力されていない場合には（Ｓ４３：ＮＯ）、Ｓ４３に戻り、処理が繰り返される。電源のオンの指示が入力された場合には（Ｓ４３：ＹＥＳ）、電源がオンされて、ディスプレイ２４への種々の表示が開始される（Ｓ４４）。このとき、識別表示４０がディスプレイ２４に表示されていれば、識別表示４０がディスプレイ２４から消去される。次いで、第二取り付け処理が終了される。
【００６３】
以上のように、第二取り付け処理が行われる。例えば、ユーザが表示部１２を本体部１１から取り外した場合には（Ｓ１３：ＹＥＳ、図４および図７参照）、第二取り付け処理が開始され（Ｓ１４、図４および図７参照））、電源のオンが禁止される（Ｓ４１）。そして、ユーザが、取り外した表示部１２と同一の表示部１２を、本体部１１に取り付けた場合には（Ｓ２２：ＹＥＳ）、Ｓ４１の処理で設定された電源のオンの禁止が解除される（Ｓ４２）。このため、ユーザは、電源をオンし（Ｓ４３：ＹＥＳ）、画像データ記憶領域１５２に記憶された表示のデータに基づく表示などを、ディスプレイ２４に表示させることが可能となる（Ｓ４４）。つまり、ユーザが、自己が保有する表示部１２を、自己が保有する本体部１１に取り付ければ、表示装置１の電源をオンすることができる。
【００６４】
一方、例えば、他人が、本体部１１に、他人が保有する表示部１２を取り付けた場合には、暗号が一致しないため、取り付けた表示部１２と取り外した表示部１２とが同一でないと判断され（Ｓ２２：ＮＯ）、Ｓ２２の処理が繰り返される。このため、Ｓ４２の処理が実行されず、電源のオンの禁止が解除されない。よって、他人は、本体部１１の画像データ記憶領域１５２に記憶された画像のデータに基づく画像を、ディスプレイ２４に表示させることができない。このため、他人が誤って本体部１１を使用することを防止できる。よって、他人にデータを確認されてしまうなどのセキュリティ上の問題を防止することができる。
【００６５】
上記実施形態において、画像データ記憶領域１５２が本発明の「画像データ記憶手段」に相当し、ディスプレイ２４が本発明の「表示手段」に相当する。図４のＳ１１の処理および図７のＳ３１の処理を行うＣＰＵ１３が、本発明の「表示指示検出手段」に相当し、図４および図７のＳ１２の処理を行うＣＰＵ１３が、本発明の「第一表示制御手段」に相当する。特定情報記憶領域１５１と特定情報記憶領域２８１とに記憶されている暗号が、本発明の「表示部特定情報」に相当し、特定情報記憶領域２８１が、本発明の「第一記憶手段」に相当する。特定情報記憶領域１５１が、本発明の「第二記憶手段」に相当し、図６および図８のＳ２２の処理を行うＣＰＵ１３が本発明の「判断手段」に相当する。
【００６６】
図６のＳ２３の処理および図８のＳ４４の処理を行うＣＰＵ１３が、本発明の「第二表示制御手段」に相当し、図８のＳ４３の処理を行うＣＰＵ１３が、本発明の「電源指示検出手段」に相当する。図８のＳ４１、Ｓ２２、Ｓ４２、Ｓ４４の処理を行うＣＰＵ１３が、本発明の「電源制御手段」に相当する。ナンバー表示部３０が本発明の「対応表示部」に相当し、ナンバー表示部３０に表示されているシリアルナンバーが、本発明の「対応表示」に相当する。
【００６７】
図４のＳ１１の処理および図７のＳ３１の処理が、本発明の「表示指示検出ステップ」に相当し、図４および図７のＳ１２の処理を行うＣＰＵ１３が、本発明の「第一表示制御ステップ」に相当する。
【００６８】
なお、本発明は上記の実施形態に限定されるものではなく、種々の変更が可能である。例えば、図６のＳ２３の処理において、識別表示４０を消去しているが、これに限定されない。例えば、識別表示４０を消去することなく、ディスプレイ２４の表示を変更するようにしてもよい。例えば、「問題なく使用できます」、「暗号が合致されました」などのテキスト文章を表示させたり、画像データ記憶領域１５２に記憶されている所定のページを表示させたりしてもよい。表示装置１は、表示を変更することによって、取り外された表示部１２と取り付けられた表示部１２とが同一であることを、ユーザに報知することができる。
【００６９】
また、特定情報記憶領域１５１，２８１には、共通の暗号が記憶され、Ｓ２２の処理（図６および図８参照）において、暗号が参照されているが、これに限定されない。例えば、暗号でなく、シリアルナンバー「０１２３」に対応するデータであってもよい。
【００７０】
また、ナンバー表示部３０には、シリアルナンバー「０１２３」が表示され、ディスプレイ２４には、識別表示４０「０１２３」が表示されているが、これに限定されない。例えば、シリアルナンバーの代わりに、ユーザが表示装置１を購入後、インターネットなどを通じて、メーカのサイトにお客様登録をした場合に付与されるＩＤを使用してもよい。この場合、ユーザが、付与されたＩＤをナンバー表示部３０に記載できるようにする。また、表示装置１の識別表示記憶領域１５３にＩＤを記憶して、識別表示４０として表示できるようにする。これによって、ナンバー表示部３０に表示されているＩＤと、ディスプレイ２４に識別表示４０として表示されるＩＤとが同一となり、ユーザは、自己が保有する本体部１１と表示部１２とを、識別することができる。なお、この場合、特定情報記憶領域１５１，２８１には、付与されたＩＤに対応した暗号が自動で記憶されるようにしてもよい。
【００７１】
ナンバー表示部３０には、シリアルナンバーが印刷されて表示されているが、これに限定されない。例えば、ナンバー表示部３０を小型のディスプレイにして、識別表示４０に対応する表示を表示できるようにしてもよい。
【符号の説明】
【００７２】
１    表示装置
１１    本体部
１２    表示部
１３    ＣＰＵ
１５，２８    フラッシュメモリ
１８    電源スイッチ
１９    設定ボタン
２４    ディスプレイ
２５    電池
２６    電源制御部
２７    着脱検出部
２９    取り外しスイッチ
３０    ナンバー表示部
４０    識別表示
１４１    プログラム記憶領域
１５１，２８１    特定情報記憶領域
１５２    画像データ記憶領域
【図１】
2012047950.tif 000003
【図２】
2012047950.tif 000004
【図３】
2012047950.tif 000005
【図４】
2012047950.tif 000006
【図５】
2012047950.tif 000007
【図６】
2012047950.tif 000008
【図７】
2012047950.tif 000009
【図８】
2012047950.tif 000010